(57)【要約】【課題】  システムを簡略化するとともに情報読み取りの効率を向上させ、さらに記録する情報量を増加させて、未然に誤った医療行為を確実に回避する。【解決手段】  リスクマネージメントシステムは、患者１２、医療従事者１３及び医療媒体１４の三者にそれぞれＩＤ情報が記録されているＩＣタグ１（1A、1B、1C）を装着し、患者１２の周辺でＩＣタグセンサ２により三者のＩＤ情報をすべて読み取った後に、比較手段７によりデータベース５に記録されている医療情報とＩＤ情報とが一致しているか否かを判定し、一致している場合は報知手段８により音声又は音響により報知し、一致していない場合は報知手段８により報知した後、所定時間経過後に、通信手段９により不一致情報をリスク管理者１０に対して通報する。【選択図】図１
2005157936.tif 000002
【特許請求の範囲】
【請求項１】
患者、この患者に対し医療行為を行う医療従事者及び前記患者に対する医療媒体にそれぞれ装着されてＩＤ情報が記録されたＩＣタグ（１）と、
前記患者の周辺で前記ＩＤ情報を読み取るＩＣタグセンサ（２）を有する端末と、
前記端末とネットワークにより接続されて医療情報を記録したデータベース（５）を有するサーバー（６）と、
前記患者、前記医療従事者及び前記医療媒体に装着されている前記ＩＣタグ（１）の前記ＩＤ情報がすべて読み取られた後、前記データベース（５）に記録されている前記医療情報と前記ＩＤ情報とが一致しているか否かを比較する比較手段（７）と、
前記比較手段（７）により比較された結果、一致している場合には、一致したことを報知する報知手段（８）と、
を備えていることを特徴とするリスクマネージメントシステム。
【請求項２】
前記医療情報と前記ＩＤ情報とが一致しない場合は、前記報知手段（８）により報知した後、さらに所定時間経過後に、不一致情報をリスク管理者に対して通報する通信手段と、
を備えていることを特徴とする請求項１記載のリスクマネージメントシステム。
【請求項３】
前記報知手段（８）は、音声又は音響により報知することを特徴とする請求項１又は２記載のリスクマネージメントシステム。
【発明の詳細な説明】
【技術分野】
【０００１】
本発明は、リスクマネージメントシステムに係わり、詳しくは、病院や福祉施設などの医療施設において誤った医療行為が行われるのを防止するリスクマネージメントシステムに関する。
【背景技術】
【０００２】
例えば、病院、福祉施設、療養所などのように患者の処置（医療行為）が必要な医療施設においては、医師の指示に基づいて看護師により点滴、投薬、注射などの種々な処置が行われる。そのような医療施設においては、一般に、看護師が控えているナースセンタが設置されて、病室内の患者は必要に応じて種々の連絡手段により、ナースセンタ内の看護師を呼び出しできるように構成されている。そのような連絡手段としては、病室内に設けられた握り釦、通話用ハンド子機、ベッドの側面のメディカルコンソールに設けられた通話用マイク及びスピーカ、廊下に設けられた廊下灯などがあげられる。また、通話用ハンド子機により呼び出された看護師が通話する親機及び制御装置を経由して接続されたＰＢＸ（Private Branch exchange）、ＰＨＳ（Personal Handyphone System）、アンテナ及びＰＨＳ端末によりナースコールシステムが構成されている。
【０００３】
ところで、看護師が患者に対して前述したような処置を行う場合、看護師は多くの患者を担当していることにより、その処置の数、種類があまりにも多くなっているので、処置を行うべき患者を間違えたり、点滴、投薬、注射などを行う薬名、薬量などを間違えることがある。また、看護師に限らず、医師の誤診により診断ミス、手術ミスなどが起きることも少なくない。このため、誤った処置が行われて、重大な医療事故に結びつくおそれがあるので、大きな社会問題になっている。それゆえ、正確な医療行為が行われることが求められている。
【０００４】
上述したような誤った医療行為を防止するために、バーコードなどを利用した医療事故防止方法が、例えば特許文献１に開示されている。この医療事故防止方法は、患者及び医療従事者にそれぞれ患者情報と医療情報とを記録した患者用ＩＣカード及び医療従事者用ＩＣカードと、ＩＣカード読み取り装置、ＩＣカード書き込み装置、薬袋などの医療媒体に印刷されたバーコードを読み取るバーコード読み取り装置、バーコード書き込み装置などを備えて、患者用と医療従事者の各ＩＣカードとの情報の不一致、非適合を判断することにより、医療事故を防止するようにしている。
【特許文献１】特開２００２−１５７３４１号公報
【発明の開示】
【発明が解決しようとする課題】
【０００５】
ところで、特許文献１に開示されている医療事故防止方法は、バーコードを利用しているので、比較的スペースを占有するバーコード読み取り装置、バーコード書き込み装置などを備えなければならないので、システムが簡略化されないだけでなく、対象医療媒体にバーコード読み取り装置をその都度接近させて情報を読み取らなければならず、情報読み取りが非効率的になり、さらにバーコードに記録される情報量が少ないので、利用範囲が制約される、という問題がある。
すなわち、バーコードを利用する場合は、前述した薬袋のような個々の医療媒体にバーコード読み取り装置を接近させて情報を読み取る必要があるので、情報読み取りに比較的時間がかかるようになる。また、バーコードはバーの配置状況により情報を読み取るので、記録する情報量が少ないため、必然的に記録できる情報量は限られる。
【０００６】
本発明は、上述の事情に鑑みてなされたもので、システムを簡略化するとともに情報読み取りの効率を向上させ、さらに記録する情報量を増加させて、未然に誤った医療行為を確実に回避することができるようにしたリスクマネージメントシステムを提供することを目的としている。
【課題を解決するための手段】
【０００７】
上記課題を解決するために、請求項１記載の発明は、患者、この患者に対し医療行為を行う医療従事者及び前記患者に対する医療媒体にそれぞれ装着されてＩＤ情報が記録されたＩＣタグと、前記患者の周辺で前記ＩＤ情報を読み取るＩＣタグセンサを有する端末と、前記端末とネットワークにより接続されて医療情報を記録したデータベースを有するサーバーと、前記患者、前記医療従事者及び前記医療媒体に装着されている前記ＩＣタグの前記ＩＤ情報がすべて読み取られた後、前記データベースに記録されている前記医療情報と前記ＩＤ情報とが一致しているか否かを比較する比較手段と、前記比較手段により比較された結果、一致している場合には、一致したことを報知する報知手段とを備えていることを特徴としている。
また、請求項２記載の発明は、請求項１記載のリスクマネージメントシステムに係わり、前記医療情報と前記ＩＤ情報とが一致しない場合は、前記報知手段により報知した後、さらに所定時間経過後に、不一致情報をリスク管理者に対して通報する通信手段とを備えていることを特徴としている。
また、請求項３記載の発明は、請求項１又は２記載のリスクマネージメントシステムに係わり、前記報知手段は、音声又は音響により報知することを特徴としている。
【発明の効果】
【０００８】
本発明のリスクマネージメントシステムによれば、システムを簡略化するとともに情報読み取りの効率を向上させ、さらに記録する情報量を増加させて、未然に誤った医療行為を確実に回避することができる。
【発明を実施するための最良の形態】
【０００９】
本発明のリスクマネージメントシステムは、患者、医療従事者及び医療媒体の三者にそれぞれＩＤ情報が記録されているＩＣタグを装着し、ＩＣタグセンサにより三者のＩＤ情報をすべて読み取った後に、比較手段によりデータベースに記録されている医療情報とＩＤ情報とが一致しているか否かを判定し、一致している場合は報知手段により音声又は音響により報知し、一致していない場合は、報知手段により報知した後、所定時間経過後に、通信手段により不一致情報をリスク管理者に対して通報する。
【実施例】
【００１０】
図１は、本発明の実施例のリスクマネージメントシステムの構成を示すブロック図、図２は同リスクマネージメントシステムで行われる医療行為を概略的に示す図、図３は同リスクマネージメントシステムに用いられるＩＣタグを概略的に示す図、図4は同リスクマネージメントシステムに用いられるデータベースの例を示す図、図５は同リスクマネージメントシステムの動作を説明するフローチャートである。
【００１１】
この実施例のリスクマネージメントシステムは、図１に示すように、患者、患者に対して点滴、投薬、注射などの医療行為を行う医療従事者及び薬袋などの医療媒体から構成される三者にそれぞれ装着されてＩＤ（Identity）情報が記録されたＩＣタグ（電子荷札）１（1A、1B、1C）と、医療施設の病室内の患者用ベッドなどの患者の周辺に設けられ前記ＩＤ情報を読み取るためのＩＣタグセンサ２を有する端末３と、端末３とネットワーク４により接続されナースセンタ内に設けられて医療情報を記録したデータベース５を有するサーバー６と、患者、医療従事者及び医療媒体に装着されているＩＤ情報がすべて読み取られた後、データベース５に記録されている医療情報とＩＤ情報とが一致しているか否かを比較する比較手段７と、比較手段７により比較された結果一致している場合には一致したことを、例えば、ナースセンタから音声又は音響により報知する報知手段８と、医療情報とＩＤ情報とが一致しない場合は、報知手段８により報知した後、さらに所定時間経過後に、不一致情報をリスク管理者１０に対して通報する通信手段９とを備えている。
【００１２】
端末３あるいはサーバー６内には、時間をカウントするためのタイマーが設けられている。図２に示すように、室内の患者用ベッド１１には、ＩＣタグセンサ２を有する端末３が設けられ、ベッド１１上の患者１２、看護師などの医療従事者１３及び看護師１３が保持する薬袋などの医療媒体１４にはそれぞれＩＤ情報が記録されたＩＣタグ１（1A、1B、1C）が装着されている。
【００１３】
ＩＣタグ１（1A、1B、1C）は、図３に示すように、ＩＤ情報を記録するＩＣチップ1aとそのＩＤ情報を電波を介して読み取るためのアンテナ1bとを有し、
数１０ｃｍから数ｍの距離を介して周辺に設けられているＩＣタグセンサ２によりそのＩＤ情報が読み取られる。このＩＣタグ１（1A、1B、1C）は、記録媒体としてＩＣチップ1aを利用しているため、その記憶情報量はバーコードと比較して飛躍的に増加させることができ、例えばその数１０倍以上の記憶情報量を得ることができる。しかも、情報読み取りに用いるＩＣタグセンサ２としては、情報読み取り時にはＩＣタグ1（1A、1B、1C）に対して電波を発射するだけでアンテナ1bを介してＩＣチップ1aの情報を読み取るので、ＩＣタグセンサ２のサイズを小型化できるためシステムを簡略化することができる。また、ＩＣタグセンサ２をＩＣタグ1（1A、1B、1C）に接近させることなく情報を読み取ることができるので、情報読み取りを効率的に行うことができる。
【００１４】
サーバー６内のデータベース５には、図4に示すような、医療情報が記録されている。この医療情報は、例えば、Ａ．処置情報（オーダー）と、Ｂ．担当情報と、Ｃ．患者情報とから構成されている。ここで、Ａ．処置情報としては、何時に、誰に（患者）、何を（処置）…などが記録され、Ｂ．担当情報としては、患者の担当者である医療従事者名（医師、看護師、レントゲン技師、…など）が記録され、Ｃ．患者情報としては、患者の氏名、性別、年齢、病名…などが記録されている。
【００１５】
次に、図５のフローチャートを参照して、この実施例のリスクマネージメントの動作について説明する。
予め、患者１２、看護師などの医療従事者１３及び薬袋などの医療媒体１４の三者にそれぞれＩＣタグ１（1A、1B、1C）を装着してＩＤ情報を記録した後に、三者からそれぞれＩＣタグセンサ２によりＩＤ情報を読み取る。まず、いずれかのＩＤ情報を読み取ったか否かを判定する。例えば、まず患者１２のＩＤ情報を読み取ったか否かを判定する（ステップＳ１）。読み取った場合は、端末３あるいはサーバー６内に設けられているタイマーをスタートさせ（ステップＳ２）た後に、そのスタートさせた現時刻を記録する（ステップＳ３）。読み取ってない場合は、タイマーをストップさせる（ステップＳ９）。
【００１６】
次に、例えば、看護師などの医療従事者１３のＩＤ情報を読み取り（ステップＳ４）、次に、同様にして残りの薬袋などの医療媒体１４のＩＤ情報を読み取る。次に、タイマースタートから予め設定した時間が経過したか否かを判定する（ステップＳ５）。予め設定した時間が経過した場合は、タイマーをストップさせる（ステップＳ９）。予め設定した時間が経過しない場合は、患者１２、医療従事者１３及び医療媒体１４の三者のＩＤ情報がすべて読み取られたか否かが判定される（ステップＳ６）。
【００１７】
三者のＩＤ情報がすべて読み取られていない場合は、（ステップＳ４）に戻って、以後同様な順序でステップが繰り返される。三者のＩＤ情報がすべて読み取られている場合は、比較手段７によりデータベース５に記録されている医療情報とＩＤ情報とが一致しているか否かが判定される（ステップＳ７）。
【００１８】
次に、比較の結果、医療情報とＩＤ情報とが一致していない場合は、報知手段８により一致していないことを報知した後、タイマーをストップさせる（ステップＳ９）。もし、医療情報とＩ医Ｄ情報とが一致している場合は、報知手段８により例えば、ナースセンタから音声又は音響により報知する（ステップＳ８）。また、
医療情報とＩＤ情報とが一致していない場合は、報知手段８により報知した後、さらに所定時間経過後に、通信手段９により不一致情報をリスク管理者１０に対して通報する（ステップＳ８）。
【００１９】
以上説明したように、この実施例のリスクマネージメントシステムによれば、患者１２、医療従事者１３及び医療媒体１４の三者にそれぞれＩＤ情報が記録されているＩＣタグ１（1A、1B、1C）を装着し、患者１２の周辺でＩＣタグセンサ２により三者のＩＤ情報をすべて読み取った後に、比較手段７によりデータベース５に記録されている医療情報とＩＤ情報とが一致しているか否かを判定し、一致している場合は報知手段８により音声又は音響により報知し、一致していない場合は報知手段８により報知した後、所定時間経過後に、通信手段９により不一致情報をリスク管理者１０に対して通報する。
【００２０】
その場合、ＩＣタグ１（1A、1B、1C）は、記録媒体としてＩＣチップ1aを利用しているため、その記憶情報量を飛躍的に増加させることができる。しかも、情報読み取りに用いるＩＣタグセンサ２としては、情報読み取り時にはＩＣタグ1（1A、1B、1C）に対して電波を発射するだけでアンテナ1bを介してＩＣチップ1aの情報を読み取るので、ＩＣタグセンサ２のサイズを小型化できるためシステムを簡略化することができる。また、ＩＣタグセンサ２をＩＣタグ1（1A、1B、1C）に接近させることなく情報を読み取ることができるので、情報読み取りを効率的に行うことができる。したがって、システムを簡略化するとともに情報読み取りの効率を向上させ、さらに記録する情報量を増加させて、未然に誤った医療行為を確実に回避することができる。
【００２１】
以上、本発明の実施例を図面により詳述してきたが、具体的な構成はこの実施例に限られるものではなく、本発明の要旨を逸脱しない範囲の設計の変更等があっても本発明に含まれる。例えば、患者の医療行為に用いる医療媒体としては薬袋に例をあげて説明したが、これに限らず治療に用いられるものであれば注射器、ギブスなどの他のものを用いる場合にも適用することができる。
【図面の簡単な説明】
【００２２】
【図１】本発明の実施例のリスクマネージメントシステムの構成を示すブロック図である。
【図２】同リスクマネージメントシステムで行われる医療行為を概略的に示す図ある。
【図３】同リスクマネージメントシステムに用いられるＩＣタグを概略的に示す図である。
【図４】同リスクマネージメントシステムに用いられるデータベースの例を示す図である。
【図５】同リスクマネージメントシステムの動作を説明するフローチャートである。
【符号の説明】
【００２３】
１、1A、1B、1C  ＩＣタグ
1a    ＩＣチップ
1b    アンテナ
２    ＩＣタグセンサ
３    端末
４    ネットワーク
５    データベース
６    サーバー
７    比較手段
８    報知手段
９    通信手段
１０    リスク管理者
１１    患者用ベッド
１２    患者
１３    医療従事者
１４    医療媒体
【図１】
2005157936.tif 000003
【図２】
2005157936.tif 000004
【図３】
2005157936.tif 000005
【図４】
2005157936.tif 000006
【図５】
2005157936.tif 000007